(57)【要約】【課題】足載せ台の収納に場所をとらない椅子および足載せ台付き椅子を提供する。【解決手段】椅子本体１１が、支持脚２１とシート２２と背もたれ支持部材２３と背もたれ２４とを有している。シート２２は、支持脚２１に支持されて支持脚２１の上部に設けられている。背もたれ支持部材２３は、シート２２の下部からシート２２の後部側上方まで伸びるようシート２２の下部に取り付けられている。背もたれ支持部材２３は、シート２２の前部側に、シート２２の下面２２ａとの間に所定の間隔をあけて設けられた保持部２３ａを有している。背もたれ２４は、シート２２の後部側上方に配置されるよう背もたれ支持部材２３に取り付けられている。足載せ台１２が、保持部２３ａとシート２２の下面２２ａとの間に挟んで、椅子本体１１に着脱可能に収納される。【選択図】図１
2011056038.tif 000002
【特許請求の範囲】
【請求項１】
支持脚と、
前記支持脚の上部に設けられたシートと、
前記シートの下部から前記シートの後部側上方まで伸びるよう前記シートの下部に取り付けられた背もたれ支持部材と、
前記シートの後部側上方に配置されるよう前記背もたれ支持部材に取り付けられた背もたれとを有し、
前記背もたれ支持部材は前記シートの下面との間に足載せ台を挟んで収納可能な保持部を有することを、
特徴とする椅子。
【請求項２】
請求項１記載の椅子と、
前記保持部と前記シートの下面との間に挟んで収納可能な足載せ台とを有することを、
特徴とする足載せ台付き椅子。
【請求項３】
前記足載せ台は、足載せ面を挟む両側に前記足載せ面以下の高さから上方に突出可能な落下防止部材を有することを、特徴とする請求項２記載の足載せ台付き椅子。
【請求項４】
デスクの天板に取り付けて使用可能な枕を有することを、特徴とする請求項２または３記載の足載せ台付き椅子。
【発明の詳細な説明】
【技術分野】
【０００１】
本発明は、椅子および足載せ台付き椅子に関する。
【背景技術】
【０００２】
従来、足載せ台が付いている椅子としては、マッサージや休息などのために使用されるリクライニングチェアがある（例えば、特許文献１参照）。
【先行技術文献】
【特許文献】
【０００３】
【特許文献１】実用新案登録第３１２９３３５号公報
【発明の概要】
【発明が解決しようとする課題】
【０００４】
しかしながら、オフィスなどで使用される事務用の椅子には、足載せ台が付いていなかった。また、特許文献１に記載のようなリクライニングチェアは、椅子本体に足載せ台が一体的に設けられているため、置き場所をとるという課題があった。また、足載せ台を取り外すことができないため、足を降ろして座りたいときには使用できないという課題もあった。
【０００５】
本発明は、このような課題に着目してなされたもので、足載せ台の収納に場所をとらない椅子および足載せ台付き椅子を提供することを目的としている。
【課題を解決するための手段】
【０００６】
上記目的を達成するために、本発明に係る椅子は、支持脚と、前記支持脚の上部に設けられたシートと、前記シートの下部から前記シートの後部側上方まで伸びるよう前記シートの下部に取り付けられた背もたれ支持部材と、前記シートの後部側上方に配置されるよう前記背もたれ支持部材に取り付けられた背もたれとを有し、前記背もたれ支持部材は前記シートの下面との間に足載せ台を挟んで収納可能な保持部を有することを、特徴とする。
【０００７】
本発明に係る椅子では、背もたれ支持部材がシートの下面との間に足載せ台を挟んで収納可能な保持部を有するため、保持部とシートの下面との間に足載せ台を挟んで収納することができる。これにより、足載せ台を使用するとき取り出して使用し、必要ないときには収納することができる。このため、足載せ台の収納に場所をとらない。
【０００８】
本発明に係る椅子は、背もたれ支持部材のシートへの取付け位置を支点として背もたれが前後方向に運動可能に背もたれ支持部材がバネを介して弾力的にシートに取り付けられていることが好ましい。この場合、本発明に係る椅子は、背もたれにもたれたとき、その荷重により、背もたれの後方への傾斜角度を変化させることができる。このため、足載せ台をシートの下から取り出したり収納したりするとき、背もたれを押して保持部を下げ、足載せ台の取出し、収納を容易にすることができる。また、保持部とシートの下面との間に足載せ台を挟んで収納したとき、足載せ台がストッパーとなるようにし、背もたれの後方への傾斜角度を制限することもできる。
【０００９】
背もたれの後方への傾斜角度の範囲や、荷重に対する傾斜角度を調整可能であってもよい。背もたれの角度は、あらかじめ調整可能であってもよい。背もたれの高さを調整可能であってもよく、背もたれを高さの異なるものに交換可能であってもよい。また、肘掛けを有していてもよく、支持脚に移動用のキャスターを有していてもよい。本発明に係る椅子は、必要以上に置き場所をとらないため、オフィスなどのスペースが限られた場所で使用される事務用の椅子等から成る場合に特に効果的である。
【００１０】
本発明に係る足載せ台付き椅子は、本発明に係る椅子と、前記保持部と前記シートの下面との間に挟んで収納可能な足載せ台とを有することを、特徴とする。
【００１１】
本発明に係る足載せ台付き椅子は、足載せ台を保持部とシートの下面との間に挟んで、椅子に収納することができる。このため、足載せ台を使用するとき取り出して使用することができる。また、足載せ台が必要ないときには、保持部とシートの下面との間に挟んで収納することができる。このため、足載せ台の収納に場所をとらない。足載せ台は、椅子から離して自由に位置を変えることができる。なお、足載せ台は、折り畳み可能であってもよい。また、足を載せる足載せ面の高さを調整可能であってもよい。
【００１２】
本発明に係る足載せ台付き椅子で、前記足載せ台は、足載せ面を挟む両側に前記足載せ面以下の高さから上方に突出可能な落下防止部材を有することが好ましい。この場合、足載せ台を使用するとき、各落下防止部材を足載せ面より高い位置に突出させることにより、足載せ面に載せた足が落ちるのを防ぐことができる。足載せ台を使用しないときには、各落下防止部材を足載せ面以下の高さに戻し、保持部とシートの下面との間に収納することができる。なお、足載せ面以下の高さは、足載せ面と同じ高さであってもよい。
【００１３】
また、本発明に係る足載せ台付き椅子は、デスクの天板に取り付けて使用可能な枕を有していてもよい。この場合、椅子に座った状態で背をデスクに向け、背もたれにもたれかかってデスクに取り付けた枕に頭を載せ、足載せ台に足を載せることにより、身体を伸ばして休息することができる。このように、オフィスなどで、快適に昼寝や仮眠をとることができ、健康増進や福利厚生にも役立てることができる。
【発明の効果】
【００１４】
本発明によれば、足載せ台の収納に場所をとらない椅子および足載せ台付き椅子を提供することができる。
【図面の簡単な説明】
【００１５】
【図１】本発明の実施の形態の足載せ台付き椅子を示す正面図である。
【図２】図１に示す足載せ台付き椅子の右側面図である。
【図３】図１に示す足載せ台付き椅子の椅子本体の右側面図である。
【図４】図１に示す足載せ台付き椅子の足載せ台の（ａ）正面図、（ｂ）側面図、（ｃ）平面図である。
【図５】本発明の実施の形態の足載せ台付き椅子の変形例の枕を示す斜視図である。
【図６】図５に示す足載せ台付き椅子の変形例の使用状態を示す側面図である。
【発明を実施するための形態】
【００１６】
以下、図面に基づき、本発明の実施の形態について説明する。
図１乃至図６は、本発明の実施の形態の椅子および足載せ台付き椅子を示している。
図１乃至図４に示すように、足載せ台付き椅子１０は、椅子本体１１と足載せ台１２とを有している。
【００１７】
図１乃至図３に示すように、椅子本体１１は、支持脚２１とシート２２と背もたれ支持部材２３と背もたれ２４と１対の肘掛け２５とを有している。
【００１８】
支持脚２１は、垂直に伸びる筒状の支持柱２１ａと、支持柱２１ａの内部に昇降可能に挿入された高さ調整柱２１ｂと、支持柱２１ａの下部から水平方向に伸びるよう設けられた４本の水平脚部２１ｃとを有している。各水平脚部２１ｃは、互いに垂直を成し、先端に移動用のキャスター２１ｄを有している。支持脚２１は、支持柱２１ａの側面に設けられた調整ネジ２１ｅを緩めて高さ調整柱２１ｂの高さを調整し、調整ネジ２１ｅを締めて高さ調整柱２１ｂを固定するようになっている。
【００１９】
シート２２は、ほぼ矩形の板状を成し、下部が硬い板状の素材から成り、上部が柔軟性の素材から成っている。シート２２は、下面２２ａの中央部で、支持脚２１の高さ調整柱２１ｂの上端に取り付けられている。シート２２は、支持脚２１に支持されて、下面２２ａおよび上面２２ｂがほぼ水平になるよう取り付けられている。
【００２０】
背もたれ支持部材２３は、金属製の棒状の部材から成り、シート２２の下部からシート２２の後部側上方まで伸びるよう配置されている。背もたれ支持部材２３は、シート２２の下部前側の保持部２３ａと、シート２２の下部後側の中間部２３ｂと、シート２２の後部側の後背部２３ｃとを有している。保持部２３ａは、１対の棒状部材が、高さ調整柱２１ｂを挟むよう水平方向に間隔を開けて互いに平行を成し、水平方向に伸びるよう形成されている。保持部２３ａは、シート２２の下面２２ａとの間に、足載せ台１２を挟んで収納可能な所定の間隔をあけて設けられている。保持部２３ａは、シート２２の前方側の先端がやや下降に折り曲げられている。
【００２１】
中間部２３ｂは、保持部２３ａのシート２２の後方側の端部から、シート２２の後方に向かってやや斜め上方に伸びるよう設けられている。中間部２３ｂは、保持部２３ａの１対の棒状部材が１本になるよう逆Ｖ字型に形成されている。後背部２３ｃは、中間部２３ｂのシート２２の後方側の端部から、上方に向かって伸びるよう設けられている。後背部２３ｃは、１本の棒状部材から成り、やや後方に傾いている。
【００２２】
背もたれ支持部材２３は、中間部２３ｂにバネ部材２３ｄを有し、バネ部材２３ｄによりシート２２の後部側下部に取り付けられている。バネ部材２３ｄは、ネジによりバネ定数を調整可能になっている。また、背もたれ支持部材２３は、保持部２３ａと中間部２３ｂとの境界に、ほぼ垂直上方に伸びる角度ストッパ２３ｅを有している。角度ストッパ２３ｅは、上端とシート２２の下面２２ａとの間に、僅かに隙間があくよう設けられている。
【００２３】
背もたれ２４は、ほぼ矩形の板状を成し、裏面側が硬い板状の素材から成り、表面側が柔軟性の素材から成っている。背もたれ２４は、裏面の中央部で、背もたれ支持部材２３の後背部２３ｃの上端部に取り付けられている。背もたれ２４は、背もたれ支持部材２３に支持されて、シート２２の後部側上方に配置されるよう、垂直からやや後方側に傾いた状態で取り付けられている。保持部２３ａは、バネ部材２３ｄによりシート２２に対して所定の位置に保たれ、背もたれ２４を前方に倒したとき、シート２２の下面２２ａとの間隔を広げることができる。
【００２４】
１対の肘掛け２５は、Ｔ字型を成し、それぞれシート２２の両側部の上方に配置されている。各肘掛け２５は、下端がシート２２の下部側面の中央部に固定されている。
【００２５】
椅子本体１１は、市販の事務用の椅子から成っていてもよい。背もたれ２４は、背もたれ支持部材２３がバネ２３ｄを介して弾力的にシート２２に取り付けられているため、背もたれ支持部材２３のシート２２への取付け位置であるバネ部材２３ｄを支点として前後方向に運動可能となっている。このため、椅子本体１１は、背もたれ２４にもたれたとき、その荷重により、背もたれ２４の後方への傾斜角度を変化させることができる。また、背もたれ２４の後方への傾斜角度の範囲や、荷重に対する傾斜角度をバネ部材２３ｄの圧縮した長さをネジで調節することにより調整可能になっている。椅子本体１１は、背もたれ２４が後方に所定の角度で傾斜したとき、角度ストッパ２３ｅがシート２２の下面２２ａに当たることにより、背もたれ２４がそれ以上傾斜しないようになっている。
【００２６】
図４に示すように、足載せ台１２は、台部３１と１対の脚部３２とを有している。台部３１は、ほぼ矩形の板状を成している。台部３１は、上面の足載せ面３１ａの中央部を挟む両側に、１対の落下防止部材３１ｂを有している。各落下防止部材３１ｂは、足載せ面３１ａの中央部よりも高い位置と、足載せ面３１ａの中央部と同じ高さの位置との間で昇降可能に設けられ、足載せ面３１ａの高さから上方に突出可能である。各落下防止部材３１ｂは、台部３１の両側面から突出したツマミ３１ｃを有し、ツマミ３１ｃを操作することにより昇降したり固定したりするようになっている。各落下防止部材３１ｂは、例えば、ツマミ３１ｃを９０度回すことにより昇降可能になり、ツマミ３１ｃを元の状態に戻すことにより固定される構成や、ツマミ３１ｃを押して昇降可能になり、ツマミ３１ｃを離してツマミ３１ｃをバネで自動的に戻すことにより固定される構成であってもよい。台部３１は、一方の側面に半円状の凹部３１ｄを有している。
【００２７】
各脚部３２は、互いに平行に縦方向に伸びる１対の上部縦部材３２ａと、各上部縦部材３２ａの下部を連結する横部材３２ｂと、各上部縦部材３２ａの下端から下方に伸びるよう設けられた１対の下部縦部材３２ｃとを有し、Ｈ型に形成されている。各脚部３２は、各上部縦部材３２ａの上端で、それぞれ台部３１の両端下部に固定されている。各脚部３２は、各下部縦部材３２ｃが各上部縦部材３２ａの内部に収納可能に構成されており、それにより各下部縦部材３２ｃが昇降可能になっている。各脚部３２は、各上部縦部材３２ａの下部にボタン３２ｄを有し、各ボタン３２ｄを押して各下部縦部材３２ｃを昇降させ、各ボタン３２ｄを離して各下部縦部材３２ｃを固定するようになっている。
【００２８】
足載せ台１２は、各下部縦部材３２ｃを昇降させることにより、各脚部３２の長さを調整可能になっている。これにより、足載せ台１２は、足を載せる足載せ面３１ａの高さを調整可能になっている。
【００２９】
図１および図２に示すように、足載せ台１２は、台部３１を保持部２３ａとシート２２の下面２２ａとの間に挟んで、椅子本体１１に収納可能になっている。足載せ台１２は、各落下防止部材３１ｂを下に降ろし、各下部縦部材３２ｃを各上部縦部材３２ａに収納して各脚部３２の長さを短くした状態で、台部３１の凹部３１ｄを椅子本体１１の後方に向けて、収納するようになっている。足載せ台１２は、椅子本体１１の前方側から後方側に向かって収納し、前方側に引き出して取り出すようになっている。足載せ台１２は、角度ストッパ２３ｅに接する位置まで収納したとき、凹部３１ｄの内側に、高さ調整柱２１ｂが配置されるようになっている。
【００３０】
次に、作用について説明する。
足載せ台付き椅子１０は、足載せ台１２を保持部２３ａとシート２２の下面２２ａとの間に挟んで、椅子本体１１に着脱可能に収納することができる。このため、必要なときに足載せ台１２を取り出して使用することができる。また、足載せ台１２が必要ないときには、保持部２３ａとシート２２の下面２２ａとの間に挟んで収納することにより、足載せ台１２の収納に場所をとらない。このため、オフィスなどで使用しても邪魔にならない。足載せ台１２は椅子本体１１と一体ではないので、椅子から離して自由に位置を変えることができる。
【００３１】
足載せ台付き椅子１０は、足載せ台１２を使用するとき、各落下防止部材３１ｂを足載せ面３１ａの中央部よりも高い位置に上昇させることにより、足載せ面３１ａの中央部に載せた足が落ちるのを防ぐことができる。また、各脚部３２の長さを調整して、足載せ面３１ａの高さを所望の高さに調整することができる。足載せ台１２を使用しないときには、各落下防止部材３１ｂを足載せ面３１ａの中央部と同じ高さの位置まで下降させることにより、足載せ面３１ａの高さに戻し、保持部２３ａとシート２２の下面２２ａとの間に収納することができる。また、保持部２３ａの先端がやや下降に折り曲げられているため、足載せ台１２を収納しやすい。
【００３２】
足載せ台１２を取り出すときは、背もたれ２４を押してやや前方側に傾けることにより、保持部２３ａの先端が下げられるため、足載せ台１２を取り出しやすくすることができる。また、同様にして、足載せ台１２を収納しやすくなっている。保持部２３ａとシート２２の下面２２ａとの間に足載せ台１２を挟んで収納したときには、足載せ台１２がストッパーとなるので、背もたれ２４の後方への傾斜角度を制限することができる。
【００３３】
なお、保持部２３ａとシート２２の下面２２ａとの間に、足載せ台１２以外のものも着脱可能に収納することができる。この場合にも、収納した物が必要なときには取り出して使用し、必要ないときには収納することができる。このように、収納した物を使用しないときには、通常の置き場所以外に場所をとらない。
【００３４】
図５および図６に示すように、足載せ台付き椅子１０は、事務用のデスク１に取り付けて使用可能な枕４１を有していてもよい。図５に示すように、枕４１は、上部に滑らかな凹凸を有する市販の安眠枕の一方の側面に沿って、下方に突出する突出部４１ａと、突出部４１ａの下端から他方の側面側に突出した鉤部４１ｂとを有している。図６に示すように、枕４１は、鉤部４１ｂと枕４１の下面４１ｃとの間に、デスク１の天板１ａの縁部を嵌め込んで使用される。図６に示すように、足載せ台付き椅子１０は、椅子本体１１に座った状態で背をデスク１に向け、背もたれ２４にもたれかかってデスク１に取り付けた枕４１に頭を載せ、足載せ台１２に足を載せることにより、身体を伸ばして休息することができる。このように、足載せ台付き椅子１０は、オフィスなどで、快適に昼寝や仮眠をとることができ、健康増進や福利厚生に役立つものである。
【符号の説明】
【００３５】
１    デスク
１ａ  天板
１０  足載せ台付き椅子
１１  椅子本体
１２  足載せ台
２１  支持脚
２１ａ  支持柱
２１ｂ  高さ調整柱
２１ｃ  水平脚部
２１ｄ  キャスター
２１ｅ  調整ネジ
２２  シート
２２ａ  下面
２２ｂ  上面
２３  背もたれ支持部材
２３ａ  保持部
２３ｂ  中間部
２３ｃ  後背部
２３ｄ  バネ部材
２３ｅ  角度ストッパ
２４  背もたれ
２５  肘掛け
３１  台部
３１ａ  足載せ面
３１ｂ  落下防止部材
３１ｃ  ツマミ
３１ｄ  凹部
３２  脚部
３２ａ  上部縦部材
３２ｂ  横部材
３２ｃ  下部縦部材
３２ｄ  ボタン
４１  枕
４１ａ  突出部
４１ｂ  鉤部
４１ｃ  下面
【図１】
2011056038.tif 000003
【図２】
2011056038.tif 000004
【図３】
2011056038.tif 000005
【図４】
2011056038.tif 000006
【図５】
2011056038.tif 000007
【図６】
2011056038.tif 000008
【手続補正書】
【提出日】平成22年3月15日(2010.3.15)
【手続補正１】
【補正対象書類名】特許請求の範囲
【補正対象項目名】請求項１
【補正方法】変更
【補正の内容】
【請求項１】
支持脚と、
前記支持脚の上部に設けられたシートと、
前記シートの下部から前記シートの後部側上方まで伸びるよう前記シートの下部に取り付けられた背もたれ支持部材と、
前記シートの後部側上方に配置されるよう前記背もたれ支持部材に取り付けられた背もたれとを有し、
前記背もたれ支持部材はバネ部材により前記シートの後部側下部に取り付けられ、水平方向に伸びて前記シートの下面との間に足載せ台を挟んで収納可能な保持部を有することを、
特徴とする椅子。
【手続補正２】
【補正対象書類名】明細書
【補正対象項目名】０００６
【補正方法】変更
【補正の内容】
【０００６】
上記目的を達成するために、本発明に係る椅子は、支持脚と、前記支持脚の上部に設けられたシートと、前記シートの下部から前記シートの後部側上方まで伸びるよう前記シートの下部に取り付けられた背もたれ支持部材と、前記シートの後部側上方に配置されるよう前記背もたれ支持部材に取り付けられた背もたれとを有し、前記背もたれ支持部材はバネ部材により前記シートの後部側下部に取り付けられ、水平方向に伸びて前記シートの下面との間に足載せ台を挟んで収納可能な保持部を有することを、特徴とする。